(57)【要約】【課題】保持器が外輪より容易に抜け出ない構造にすること。【解決手段】本ピンタイプ保持器付ころ軸受は、ピン固定孔１５を備えた一対の環状板１６と、ピン挿通孔１３を備えた中空ころ１１と、中空ころ１１のピン挿通孔１３に挿通されるとともに環状板１６のピン固定孔１５に固定されるピン１４とを備え、環状板１６の外径を、中空ころ１１よりなるころセットの外接円径より大きくした構成。【選択図】図２
2005331066.tif 000002
【特許請求の範囲】
【請求項１】
円周方向所定間隔で複数のピン固定孔を備えかつ互いに平行に配置された一対の環状板と、これら一対の環状板間に配置されかつ上記ピン固定孔それぞれに対応するピン挿通孔を有する複数の中空ころと、各中空ころのピン挿通孔に挿通されるとともに上記環状板の各ピン固定孔に固定される複数のピンとを備えるピンタイプ保持器付きころ軸受であって、上記一対の環状板それぞれの外径を、共に、上記複数の中空ころよりなるころセットの外接円径より大きくした、ことを特徴とするピンタイプ保持器付きころ軸受。
【請求項２】
上記各ピンのうち、一部を、上記ピン固定孔の外側孔部に対してかしめや溶接等の固定手段により固定し、残りを、上記ピン固定孔に圧入だけで固定した、ことを特徴とする請求項１に記載のピンタイプ保持器付きころ軸受。
【発明の詳細な説明】
【技術分野】
【０００１】
本発明は、ピンタイプ保持器を備えたピンタイプ保持器付きころ軸受に関する。
【背景技術】
【０００２】
ピンタイプ保持器は、円周方向等間隔で複数のピン挿通孔を備えかつ互いに平行に配置された一対の環状板と、これら一対の環状板間に円周方向に等間隔に配置されそれぞれ貫通孔を有する複数の中空ころと、各中空ころそれぞれの貫通孔に挿通されて中空ころを回転可能に支持し、両端部が一対の環状板それぞれのピン挿通孔に固定された複数のピンとで構成されている。このようなピンタイプ保持器を備えたころ軸受においては、総ころ形ころ軸受に近い負荷容量が確保可能であると同時に、総ころ形ころ軸受の欠点である、ころのスキューが発生しない長所を備える（特許文献１，２，３，等参照）。
【０００３】
ところで、従来のピンタイプ保持器付きころ軸受では、環状板は、ピンを保持する機能を目的としているため、その外径が中空ころセットの外接円径（当該中空ころに外接する外輪の内径）以下であり、保持器全体が外輪から抜け出し易いという課題がある。
【特許文献１】実開昭５０−１５０６５６号公報
【特許文献２】特開平１１−３２５０６３号公報
【特許文献３】特開２００２−９８１５３号公報
【発明の開示】
【発明が解決しようとする課題】
【０００４】
したがって、本発明により解決すべき課題は、保持器が外輪より容易に抜け出ない構造にすることである。
【課題を解決するための手段】
【０００５】
本発明によるピンタイプ保持器付きころ軸受は、円周方向所定間隔で複数のピン固定孔を備えかつ互いに平行に配置された一対の環状板と、これら一対の環状板間に配置されかつ上記ピン固定孔それぞれに対応するピン挿通孔を有する複数の中空ころと、各中空ころのピン挿通孔に挿通されるとともに上記環状板の各ピン固定孔に固定される複数のピンとを備えるピンタイプ保持器付きころ軸受であって、上記一対の環状板それぞれの外径を、共に、上記複数の中空ころよりなるころセットの外接円径より大きくしたことを特徴とするものである。
【０００６】
本発明によると、両環状板の外径が、共に、上記中空ころセットの外接円径より大きいから、当該保持器を外輪の内周面に装着した場合、例えば保持器に軸方向一方に抜け出しの力が作用しても、軸方向他方の環状板が外輪の軸方向他方の端面に係合し、軸方向他方方に抜け出しの力が作用しても、軸方向一方の環状板が外輪の軸方向一方の端面に係合するから、保持器が外輪より抜け出すことが無い。
【０００７】
本発明の好ましい実施態様として、上記複数のピンのうち、一部を上記ピン固定孔の外側孔部にかしめや溶接等の固定手段により固定し、残りを上記ピン固定孔に圧入により固定する。
【０００８】
上記態様の場合、トータル的にはかしめ等によりピン固定孔に対するピンの固定強度を確保でき、また、トータル的には、全体がコストのかかるかしめではなく、一部がコストが安く済む圧入だけでピンをピン固定孔に固定しているから、コストが安く済む。
【発明の効果】
【０００９】
本発明によると、保持器が外輪より抜け出すことを防止できる。
【発明を実施するための最良の形態】
【００１０】
以下、添付図面を参照して、本発明のピンタイプ保持器付きころ軸受（以下、単にころ軸受という）に適用して説明する。図１は、ころ軸受の側面断面図、図２は、図１のＡ−Ａ線に沿う断面図、図３は、ころ軸受の分解斜視図である。これらの図において、このころ軸受は、外輪１０と、複数の中空ころ１１と、ピンタイプ保持器１２とを備える。
【００１１】
中空ころ１１は、軸心を貫通する、軸方向全長にわたり同一内径でかつ断面円形をなすピン挿通孔１３を備える。ピンタイプ保持器１２は、中空ころ１１のピン挿通孔１３に挿通されて該中空ころ１１を回転自在に保持するピン１４と、円環状でかつ互いに同軸上を平行に配置されかつピン１４の両端が圧入されるピン固定孔１５を有する一対の環状板１６とを有する。この環状板１６のピン固定孔１５は、その内径が、中空ころ１１のピン挿通孔１３の内径より小さくされている。ピン１４は、中空ころ１１を回転自在とする外径を備えた断面円形を有してピン挿通孔１３に挿入されるピン本体１７と、ピン本体１７の外径よりも小さいが、環状板１６のピン固定孔１５に圧入可能な外径を有するピン両端１８とからなる。この構成により、ピン１４は、ピン本体１７とそのピン両端１８との外径差により軸方向に段付き構成なっている。ピン本体１７は、中空ころ１１のピン挿通孔１３に挿入されるとともに当該ピン挿通孔１３外に突き出されて、環状板１６の内端面に当接しているとともに、ピン両端１８は、該ピン固定孔１５に圧入されるとともにその外側孔部１７にかしめられて固定されている。このかしめに代えて溶接やその他の固定手段で固定することでもよい。なお、上記の場合、ピン両端１８を上記固定手段で固定することは、コストがかかるので、環状板１６のピン固定孔１５に圧入だけで固定してコスト低減を図ってもよい。
【００１２】
ピン１４のピン本体１７は、中空ころ１１の内周面との摺動摩擦抵抗を低減して潤滑を向上する等のため、皮膜処理、表面硬化処理等を施してもよい。皮膜処理としては、リン酸マンガン酸亜鉛の皮膜形成、二硫化モリブデン等の層状物質系のコーティング、ベーキングによる焼成皮膜の形成、スズ、亜鉛、銀、クロム（硬質クロム）、その他の金属のメッキ等がある。ＰＴＦＥ、ポリイミド等の高分子系の固体潤滑皮膜の形成がある。表面硬化処理としては、浸硫窒化、浸硫、液体窒化、レーザビーム焼入れ、高周波焼入れ、浸炭焼入れ、ショットピーニング等がある。あるいは、耐摩耗、耐かじり、耐焼付き性の向上のため、タフトライド処理、イオン窒化処理等の熱処理を施してもよい。上記処理は、中空ころ１１のピン挿通孔１３の内周面や、中空ころ１１の外周面、外輪１０の内周面、  環状板１６の外輪１０の外端面と接触する箇所等に施してもよい。
【００１３】
そして、環状板１６の外径Ｒ１は、複数の中空ころ１１からなる中空ころセットの外接円径（中空ころ１１が外接する外輪１０の内径）Ｒ２より大きくされており、かつ、ピン１４のピン両端１８は、環状板１６のピン固定孔１５の外側孔部１７にかしめられている。
【００１４】
以上の構成を備えたころ軸受においては、両環状板１６の外径が、共に、中空ころ１１のセットの外接円径より大きいから、当該保持器１２を外輪１０の内周面に装着した場合、当該保持器１２に軸方向一方に抜け出しの力が作用しても、軸方向他方の環状板１６が外輪１０の軸方向他方の端面に係合し、軸方向他方方に抜け出しの力が作用しても、軸方向一方の環状板１６が外輪の軸方向一方の端面に係合するから、保持器１２が外輪１０より抜け出すことが無い。また、ピン１４がピン本体１７とピン両端１８とで軸方向段付き形状になり、かつ、ピン本体１７がピン挿通孔１３外で環状板１６の内端面に当接しているから、ピン１４そのものが環状板１６から抜け出すのを確実に防止できる。
【００１５】
（他の形態）
図４ないし図６を参照して本発明の他の形態（第２形態）を説明する。図４は、本発明の他の形態に係るころ軸受の側面断面図、図５は、図４のＢ−Ｂ線に沿う断面図、図６は、図４のＣ−Ｃ線に沿う断面図である。図１ないし図３と対応する部分には、同一の符号を付している。第２形態が、図１ないし図３に示す形態（第１形態）と相違するのは、第１形態では、すべてのピン１４のピン両端１８が、環状板１６のピン固定孔１５の外側孔部１７にかしめ等の固定手段で固定されているのに対して、第２形態では、上記複数のピン１４のうち、一部のピン両端１８を環状板１６のピン固定孔１５の外側孔部１７にかしめまたは溶接等により固定し、残りのピン両端１８をピン固定孔１５に圧入だけで固定していることである。すなわち、ピン両端１８のすべてを固定手段で固定した場合、固定強度は得られても、製造コストが高くつく一方、ピン両端１８のすべてを圧入だけで固定すると製造コストは安くても、固定強度に劣る。これに対して、第２形態の場合、すべてのピン１４がピン固定孔１５にコストがかかるかしめや溶接等で固定されておらず、一部だけがピン固定孔１５にかしめや溶接等の固定手段で固定されている一方、残りが、かしめや溶接等が施されず、圧入だけで固定されているから、トータル的には必要な固定強度を得られると同時にその製造コストの低減を図ることが可能となる。上記ピン１４のうち、ピン両端１８を、固定手段で固定するピン数と、圧入だけで固定するピン数との割合は、固定強度とコストとの関係により適宜に決定することができる。
【００１６】
なお、外輪１０の両端部は、図７で示すように、軸方向に延ばし、その内周面を軸方向に段付きにしてもよい。
【００１７】
なお、ピン１４は、図８で示すように、それぞれ、一端側１４１ａが中空ころ１１のピン挿通孔１３に挿通され、他端側１４１ｂが環状板１６のピン固定孔１５に固定される、軸方向に短い２つのピン１４１で構成してもよい。
【図面の簡単な説明】
【００１８】
【図１】本発明の最良の形態に係るころ軸受の側面断面図
【図２】図１のＡ−Ａ線に沿う断面図
【図３】ころ軸受の分解斜視図
【図４】本発明の他の形態に係るころ軸受の側面断面図
【図５】図４のＢ−Ｂ線に沿う断面図
【図６】図４のＣ−Ｃ線に沿う断面図
【図７】図１の外輪の変形例を示すころ軸受の側面断面図
【図８】図１のピンの変形例を示すころ軸受の側面断面図
【符号の説明】
【００１９】
１０  外輪
１１  中空ころ
１２  ピンタイプ保持器
１３  ピン挿通孔
１４  ピン
１５  ピン固定孔
１６  環状板
【図１】
2005331066.tif 000003
【図２】
2005331066.tif 000004
【図３】
2005331066.tif 000005
【図４】
2005331066.tif 000006
【図５】
2005331066.tif 000007
【図６】
2005331066.tif 000008
【図７】
2005331066.tif 000009
【図８】
2005331066.tif 000010